(57)【要約】【課題】  鋼板モータをキャリア周波数が１０ｋＨｚ以上のインバータで駆動する場合に、漏れ電流が製品本体に流れ込むことを防ぐことを目的としている。【解決手段】  インバータのキャリア周波数が１０ｋＨｚ以上で運転される電動機で、かつ固定子の回転子、およびこれらを覆う鋼板などの導電性のブラケットから構成される電動機において、鋼板などの導電性のブラケットと製品本体との接触部に電気絶縁物を使用し、出力電圧を１０Ｖから１５０Ｖで駆動する構成としている。【選択図】  図１
2005333800.tif 000002
【特許請求の範囲】
【請求項１】
電動機が取り付けられる製品本体側の取付孔部と、この製品本体側の取付孔部に対応する位置に設けられる電動機側のブラケットの取付孔部と、この電動機側のブラケットの取付孔部に嵌着される円環状の電機絶縁物と、前記製品本体側の取付孔部と円環状の電機絶縁物の孔部とを挟持させる１対のワッシャーと、前記製品本体側の取付孔部と円環状の電機絶縁物の孔部とが前記１対のワッシャーにより挟持される構成の前記前記製品本体側の取付孔部と前記円環状の電機絶縁物の孔部と前記１対のワッシャーの孔部とを挿通させるネジ部材と、このネジ部材に螺合させるナット部材とから構成される電動機の取り付け構成部において、前記電動機側のブラケットの取付孔部の径寸法が、前記ワッシャーの外形寸法よりも大きくかつ前記ネジ部材と前記ナット部材との螺合により前記電動機と前記製品本体側とが固定される電動機の取り付け構成部。
【発明の詳細な説明】
【技術分野】
【０００１】
本発明はパッケージエアコンなどに使用するインバータ駆動の電動機およびインバータ駆動の電動機の取り付け方法に関するものである。
【背景技術】
【０００２】
近年、パッケージエアコン用に使用されるファンモータの多くは、電動機固定子を樹脂でモールドしたモールドモータである。以下に、従来のインバータ駆動の電動機およびインバータ駆動の電動機の取り付け構成について説明する。
【０００３】
図５は従来のモールドモータの断面図である。図５において、１は積み重ねられた電磁鋼板に巻線をほどこした固定子、２は回転子、３の樹脂により固定子１
は覆われている。この結果、モールドモータは絶縁性に優れており、また電動機を鋼板製ブラケットで覆った鋼板モータより防音性，防振性に優れている。
【０００４】
図６は一般的な鋼板モータの半断面図である。図６において、１は積み重ねられた電磁鋼板に巻線をほどこした固定子、２は回転子、４の鋼板などの導電性のブラケットは円筒形をしており固定子と回転子を覆っている。５はアース線であり、電動機の電圧が１５０Ｖを越える電動機については感電の防止のためブラケット４と本体の非充電金属部間をつないでいる。
【０００５】
一般にこれらのファンモータは商用電圧をスイッチング素子により移相制御を行うことで電圧制御し、モータの可変速運転を行っている。
【発明の開示】
【発明が解決しようとする課題】
【０００６】
しかしながら、上記従来の構成では精度良くかつ広範囲に可変速を行うことは困難であり、一般にファンモータをより精密にかつ広範囲に可変速運転を行うにはインバータにより電動機に加える電圧の周波数を変化させることが必要となるが、インバータによりキャリア周波数を１０ｋＨｚ以上で駆動する場合は、現状の鋼板モータのブラケットと製品本体はアース線を介して電気的につながっているため漏れ電流が製品本体に流れ込み感電する問題点を有していた。
【０００７】
本発明は、上記従来の問題点を解決するものでインバータのキャリア周波数を１０ｋＨｚ以上（通常は３０ｋＨｚ程度まで）で駆動する場合は絶縁性の高いモールドモータを使用すべきだが、現在産業分野において環境保護が問題となっており、リサイクル性に欠けるモールドモータからリサイクル性の高い鋼板モータへと移行する動きがあるため、インバータのキャリア周波数を１０ｋＨｚ以上で駆動する鋼板モータにおいて漏れ電流を製品本体に流さないようにしなければならない。
【０００８】
本発明はこの課題を解決するもので、電動機からの漏れ電流が製品本体に流れ
ることを防ぐことを目的としている。
【課題を解決するための手段】
【０００９】
この目的を達成するために本発明の電動機とこの取り付け構成は、電動機の鋼板などの導電性のブラケットと製品本体との間に絶縁物を介して製品本体に取り付け、インバータの出力電圧を１０Ｖから１５０Ｖの範囲内で駆動する構成としている。
【００１０】
本発明は、電動機が取り付けられる製品本体側の取付孔部（６）と、この製品本体側の取付孔部（６）に対応する位置に設けられる電動機側のブラケットの取付孔部（４）と、この電動機側のブラケットの取付孔部（４）に嵌着される円環状の電機絶縁物（８）と、前記製品本体側の取付孔部（６）と円環状の電機絶縁物（８）の孔部とを挟持させる１対のワッシャー（７）と、前記製品本体側の取付孔部（６）と円環状の電機絶縁物（８）の孔部とが前記１対のワッシャー（７）により挟持される構成の前記前記製品本体側の取付孔部（６）と前記円環状の電機絶縁物（８）の孔部と前記１対のワッシャー（７）の孔部とを挿通させるネジ部材（９）と、このネジ部材（９）に螺合させるナット部材（１０）とから構成される電動機の取り付け構成部において、前記電動機側のブラケットの取付孔部（４）の径寸法が、前記ワッシャー（７）の外形寸法よりも大きくかつ前記ネジ部材（９）と前記ナット部材（１０）との螺合により前記電動機と前記製品本体側とが固定される電動機の取り付け構成部である。
【００１１】
また、本発明はインバータのキャリア周波数が１０ｋＨｚ以上で出力電圧が１０Ｖから１５０Ｖの範囲内で運転される電動機で、かつ固定子と回転子、およびこれらを覆う鋼板などの導電性のブラケットから構成される電動機において、電動機が搭載される製品本体とボルトなどで固定するための前記電動機のフランジ穴部を樹脂ブッシュなどの絶縁物で覆い、前記製品本体と前記電動機のブラケットを絶縁する構成としたインバータ駆動の電動機である。
【００１２】
また、本発明はインバータのキャリア周波数が１０ｋＨｚ以上で出力電圧が１０Ｖから１５０Ｖの範囲内で運転される電動機で、かつ固定子と回転子、およびこれらを覆う鋼板などの導電性のブラケットから構成される電動機において、電動機が搭載される製品本体とボルトなどで固定するための前記電動機のフランジ部などの製品本体との接触部を樹脂スペーサなどの絶縁物を介して、前記製品本体と前記電動機のブラケットを絶縁するインバータ駆動の電動機の取り付け方法である。
【発明の効果】
【００１３】
以上のように発明は、電動機と電動機の取り付け構成において電気絶縁物を使用することで電動機をキャリア周波数１０ｋＨｚ以上のインバータで出力電圧が１０Ｖから１５０Ｖで運転した場合でも、ブラケットに流れる漏れ電流を、電動機にアース線を取り付けることなく製品本体に流れることを防ぐことができる。この結果、電動機運転時に製品本体に手が触れても感電する恐れがない。
【発明を実施するための最良の形態】
【００１４】
以下に、本発明の実施例を説明する。
（実施例１）
以下本発明の第１の実施の形態について、図面を参照しながら説明する。
【００１５】
図３は本発明の第１の実施の形態による鋼板モータの断面図である。図３において、１は積み重ねられた電磁鋼板に巻線をほどこした固定子、２は回転子、４の鋼板などの導電性のブラケットは円筒形をしており固定子と回転子を覆っている。
【００１６】
図１は本発明の製品本体とボルトなどで固定するための電動機のフランジ穴周辺の断面図である。図１において、４は鋼板などの導電性のブラケット、６は製品本体、７はワッシャー、８は鋼板などの導電性のブラケット４に取り付けられた電気絶縁物である。９のネジと１０のナットで鋼板などの導電性のブラケット４が製品本体６に固定されている。
【００１７】
以上のように構成された電動機について、以下その動作について説明する。
【００１８】
電動機をキャリア周波数１０ｋＨｚ以上のインバータで運転した時、コイルに流れている電流の一部が電磁鋼板を通して鋼板などの導電性のブラケットに流れる。しかし、図１の電気絶縁物８により鋼板などの導電性のブラケット４と製品本体６とは絶縁されており、製品本体６には漏れ電流は流れない。そしてインバータの出力電圧を１５０Ｖ以下とした場合にはモータにアース線を設ける必要がな
いため、電動機の運転時に製品本体６に手が触れて感電する恐れがない。
（実施例２）
以下本発明の第２の実施の形態について、図面を参照しながら説明する。
【００１９】
電動機の断面図は実施の形態１と同様である。図２は本発明の第２の実施の形態による製品本体とボルトなどで固定するための電動機のフランジ穴周辺部の断面図である。図２において、４は鋼板などの導電性のブラケット、６は製品本体、１１は樹脂スペーサ、１２は電気絶縁物からなるワッシャーである。９のネジと１０のナットで鋼板などの導電性のブラケット４が製品本体６に固定されている。
【００２０】
以上にように構成された電動機について、その動作は実施の形態１と同様である。
【００２１】
この構成によって、電動機の鋼板などの導電性のブラケットに流れる漏れ電流が製品本体に流れることを防ぐことができる。
【産業上の利用可能性】
【００２２】
本発明はパッケージエアコンなどに使用するインバータ駆動の電動機およびインバータ駆動の電動機の取り付け方法に有用である。
【図面の簡単な説明】
【００２３】
【図１】本発明の第１の実施の形態による電動機の取り付け穴周辺の断面図
【図２】本発明の第２の実施の形態による電動機の取り付け穴周辺の断面図
【図３】本発明の第１の実例の形態による鋼板モータの断面図
【図４】従来の電動機の取り付け穴周辺の断面図
【図５】従来のモールドモータの断面図
【図６】従来の鋼板モータの半断面図
【符号の説明】
【００２４】
１  固定子
２  回転子
３  樹脂
４  鋼板などの導電性のブラケット
５  アース線
６  製品本体
７  ワッシャー
８  電気絶縁物
９  ネジ
１０  ナット
１１  樹脂スペーサ
１２  電気絶縁物からなるワッシャー
【図１】
2005333800.tif 000003
【図２】
2005333800.tif 000004
【図３】
2005333800.tif 000005
【図４】
2005333800.tif 000006
【図５】
2005333800.tif 000007
【図６】
2005333800.tif 000008